(57)【要約】      （修正有）【課題】排水口からの排水の流出を効率的に行なわせて、排水機能を向上させることの可能な排水トラップを提供する。【解決手段】貯水筒２２の排水口２０側の上部には、仕切部材３０が設けられている。仕切部材３０は、板状とされ、排水口２０へ向かって延出されている。仕切部材３０により、排出空間２２Ｃは、仕切部材３０よりも上側の上流出空間３２と、仕切部材３０よりも下側の下流出空間３４とに仕切られている。【選択図】図３
2012127141.tif 000002
【特許請求の範囲】
【請求項１】
有底筒状とされ、筒の一端側が上方に開口され、側面に排水口が形成された排水トラップ本体と、
筒状とされ上端が前記排出口の下端よりも高い位置となるように前記排水トラップ本体内に配置され、筒内に貯水可能な貯水室を構成すると共に、前記側面との間に排水室を構成する貯水筒と、
前記貯水筒の前記排出口側の上部から前記排水口へ向かって延出され、前記貯水筒と前記排水口との間の排出空間を上下の上流出空間と下流出空間とに仕切る仕切部材と、
筒状とされ、前記開口から前記貯水室に挿入され、筒の一端と前記排水トラップ本体の底面との間に排水用隙間を構成すると共に、筒の他端が前記排水トラップ本体の前記開口側に配置される封水筒と、
を備えた排水トラップ。
【請求項２】
前記仕切部材よりも下側で前記貯水筒から前記排出口へ向かって延出されると共に前記貯水筒に筒軸方向に沿って連結され、前記下流出空間を左右の２空間に仕切る下側仕切部材を、さらに備えた請求項１に記載の排水トラップ。
【請求項３】
前記下側仕切部材は、上面からみて下流側へ向かって先細りの三角形状であること、を特徴とする請求項２に記載の排水トラップ。
【請求項４】
前記貯水筒から径方向外側へ向かって延出され、前記排水室を上下の上部空間と下部空間に仕切ると共に、上部空間から下部空間へ排水の流出を可能とする流出口の構成された周方向仕切部材を、さらに備えた請求項１〜請求項３のいずれか１項に記載の排水トラップ。
【請求項５】
前記貯水筒から径方向外側へ向かって延出され、前記貯水筒の外周で螺旋状に配置されて前記排水室に流入する排水を前記貯水筒の外周に沿って一方向へ誘導する螺旋板を、さらに備えた請求項１〜請求項３のいずれか１項に記載の排水トラップ。
【発明の詳細な説明】
【技術分野】
【０００１】
本発明は、ユニットバスなどに用いられる排水トラップに関する。
【背景技術】
【０００２】
従来から、ユニットバスの浴室の洗い場などの排水部分には、排水配管（雑配管）との間に貯水して排水配管からの臭気などを遮断するための排水トラップが設けられている。通常、排水トラップにおいては、所定の封水高さを確保する必要がある。このため、封水を貯留する封水室の高さを排水口の下端よりも高くするための筒部材（貯水筒）が排水トラップ本体内に設けられる場合がある（特許文献１参照）。
【０００３】
このような貯水筒が設けられた場合、排水トラップへ流入した排水は、貯水筒の上端から溢れた後、排水口へ向かい、排水口から排出される。
【先行技術文献】
【特許文献】
【０００４】
【特許文献１】特開２０００−８０６９５号公報
【発明の概要】
【発明が解決しようとする課題】
【０００５】
上記のように、排水トラップ本体内に貯水筒が設けられている場合、貯水筒の排水口側の上端から溢れる排水と、貯水筒の排水口から遠い側の上端から溢れて貯水筒の外周を経て排水口へ向かう排水とが、排水口付近でぶつかり合う。このとき、排水口から遠い側の上端から溢れた排水は、排水口側の上端から溢れて勢いよく排水口へ向かう水流によって流れが阻害され、排水口でスムーズに合流できていないことが判明した。そのため、貯水筒の外周路で排水の滞留が生じ、排水量の増加に伴って貯水筒からの排水の溢れにも抵抗を及ぼすと考えられる。
【０００６】
また、排水口に接続された雑排水管部分における排水の水位は、排水トラップへの排水の流入が満水である場合でも、雑排水管の断面の１／３程度であることが観察されており、排水トラップ内での前述した抵抗により排水能力が低下していると考えられる。
【０００７】
本発明は、上記事実を考慮し、排水口からの排水の流出を効率的に行なわせて、排水機能を向上させた排水トラップを得ることを目的とする。
【課題を解決するための手段】
【０００８】
請求項１に記載の排水トラップは、有底筒状とされ、筒の一端側が上方に開口され、側面に排水口が形成された排水トラップ本体と、筒状とされ上端が前記排出口の下端よりも高い位置となるように前記排水トラップ本体内に配置され、筒内に貯水可能な貯水室を構成すると共に、前記側面との間に排水室を構成する貯水筒と、前記貯水筒の前記排出口側の上部から前記排水口へ向かって延出され、前記貯水筒と前記排水口との間の排出空間を上下の上流出空間と下流出空間とに仕切る仕切部材と、筒状とされ、前記開口から前記貯水室に挿入され、筒の一端と前記排水トラップ本体の底面との間に排水用隙間を構成すると共に、筒の他端が前記排水トラップ本体の前記開口側に配置される封水筒と、を備えている。
【０００９】
本発明の排水トラップでは、開口からの排水は、封水筒を通って貯水室へ流入し、排水用隙間を通って封水筒から外側へ流出し、貯水筒の上端から溢れる。貯水筒の上端で仕切部材が設けられた部分から溢れた排水は、仕切部材の上側の上流出空間を経て排水口へ導かれる。一方、貯水筒の排水口から遠い側の上端から溢れた排水（周回排水）は、一旦排水室へ流出し、貯水筒の外周を経て排水口へ向かい、排出口から流出する。このとき、貯水筒の排水口側上端から溢れた排水は、上流出空間へ導かれているので、周回排水は、スムーズに下流出空間を通過できる。
【００１０】
これにより、周回排水を排水口付近でスムーズに合流させることができ、排出口からの排水の流出を効率的に行うことができる。また、貯水筒の排水口側上端から溢れた排水を上流出空間へ導くことにより、排水口に接続された雑排水管の流路内上側部分を活用して、効率的に排水を行うことができる。その結果、排水時間を短縮することができる。
【００１１】
請求項２に記載の排水トラップは、前記仕切部材よりも下側で前記貯水筒から前記排出口へ向かって延出されると共に前記貯水筒に筒軸方向に沿って連結され、前記下流出空間を左右の２空間に仕切る下側仕切部材を、さらに備えている。
【００１２】
上記構成によれば、貯水筒の排水口から遠い側の上端から溢れた排水で、貯水筒の外周の一方側を経て下流出空間へ至る水流と、貯水筒の外周の他方側を経て下流出空間へ至る水流とは、下仕切部材により排出口へ向かって別々に導かれるため、互いにぶつかり合うことが回避され、スムーズに排水口へ向かい、流出することができる。
【００１３】
請求項３に記載の排水トラップは、前記下側仕切部材が、上面からみて下流側へ向かって先細りの三角形状であること、を特徴とする。
下側仕切部材を上記の構成とすることにより、排水の流れを下流側にスムーズに変更することができる。
【００１４】
請求項４に記載の排水トラップは、前記貯水筒から径方向外側へ向かって延出され、前記排水室を上下の上部空間と下部空間に仕切ると共に、上部空間から下部空間へ排水の流出を可能とする流出口の構成された周方向仕切部材を、さらに備えている。
【００１５】
上記構成によれば、貯水筒の上端から溢れた排水は、周方向仕切部材の上側の上部空間から下流側へ流れて上流出空間を経て排水口から流出する排水と、一旦上部空間へ溢れた後に流出口から下部空間へ落ちて下流出空間を経て排出口から流出する排水とに分流される。これにより、排水口に接続された雑排水管の流路内上側部分を活用して、効率的に排水を行うことができる。
【００１６】
請求項５に記載の排水トラップは、前記貯水筒から径方向外側へ向かって延出され、前記貯水筒の外周で螺旋状に配置されて前記排水室に流入する排水を前記貯水筒の外周に沿って一方向へ誘導する螺旋板を、さらに備えている。
【００１７】
上記構成によれば、貯水筒の上端から溢れた排水の排水室での流れの方向を一方向にすることができ、排出口における水流のぶつかり合いを抑制して、スムーズに排水の流出を誘導することができる。
【発明の効果】
【００１８】
本発明は上記構成としたので、排水口からの排水の流出を効率的に行なわせて、排水機能を向上させることができる。
【図面の簡単な説明】
【００１９】
【図１】第１実施形態の排水トラップの分解斜視図である。
【図２】第１実施形態の排水トラップの組み立て後の斜視図である。
【図３】第１実施形態の排水トラップの側断面図である。
【図４】第１実施形態の排水トラップの目皿、封水筒を取り外した状態の内部の上面からみた断面図である。
【図５】第１実施形態の排水トラップでの排水の流れを示す断面説明図である。
【図６】第１実施形態の排水トラップの目皿、封水筒を取り外した状態での排水の流れを示す上面説明図である。
【図７】第２実施形態の排水トラップの目皿、封水筒を取り外した状態の（Ａ）は一部破断斜視図であり、（Ｂ）は内部の上面からみた断面図である。
【図８】第２実施形態の変形例に係る排水トラップの目皿、封水筒を取り外した状態の内部の上面からみた断面図である。
【図９】第３実施形態の排水トラップの目皿、封水筒を取り外した状態の内部の上面からみた断面図である。
【図１０】第３実施形態の変形例に係る排水トラップの目皿、封水筒を取り外した状態の内部の上面からみた断面図である。
【図１１】第４実施形態の排水トラップの目皿、封水筒を取り外した状態の一部破断斜視図である。
【図１２】第４実施形態の排水トラップの目皿、封水筒を取り外した状態の内部の上面からみた断面図である。
【発明を実施するための形態】
【００２０】
［第１実施形態］
本実施形態の排水トラップ１０は、図１、２に示されるように、排水トラップ本体１２、封水筒１４、取付フランジ１６、及び、目皿１８を備えている。
【００２１】
排水トラップ本体１２は、有底円筒状とされ、下側の小径部１２Ｘ、上側の大径部１２Ｙを有している。大径部１２Ｙの側面には、排水口２０が形成されている。排水口２０は、雑排水配管Ｐ（図３参照）と接続される。排水トラップ本体１２は、下側に底部１２Ｂを有している。また、排水トラップ本体１２の上側は開放されており開口１２Ａが構成されている。開口１２Ａを構成する部分には、後述する取付フランジ１６を螺合可能な雌ねじ１２Ｎが形成されている。開口１２Ａは、浴室の洗い場に向かって開口され、開口１２Ａから排水が流入する。
【００２２】
排水トラップ本体１２の内部には、筒状の貯水筒２２が配置されている。貯水筒２２は、図３、図４にも示されるように、排水トラップ本体１２の小径部１２Ｘと略同径の略円筒状とされ、小径部１２Ｘから大径部１２Ｙ内に延出されている。貯水筒２２の上端は、排水口２０の下端よりも高い位置に配置されている。
【００２３】
貯水筒２２は、排水トラップ本体１２の内部を、貯水筒２２の内側の貯水室２２Ａと、貯水筒２２の外側で大径部１２Ｙの内側の排水室２２Ｂとに仕切っている。排水室２２Ｂの排水口２０と対向する部分には、排出空間２２Ｃが構成されている。
【００２４】
貯水筒２２の排水口２０側の上部には、仕切部材３０が設けられている。仕切部材３０は、板状とされ、板面が上下に向くように配置されている。仕切部材３０は、排水口２０へ向かって延出され、一部が排水口２０内に延伸されている。仕切部材３０により、排出空間２２Ｃは、仕切部材３０よりも上側の上流出空間３２と、仕切部材３０よりも下側の下流出空間３４とに仕切られている。
また、仕切部材３０は、貯水筒２２と一体的に構成されていても、別体で構成されて貯水筒２２から取り外し可能な構成にされていてもよい。特に、仕切部材３０を取り外し可能とすることにより、高圧洗浄の際などに洗浄具のノズルを挿入しやすくすることができる。
【００２５】
なお、本実施形態では、仕切部材３０は、一部が排水口２０内に挿入されているが、仕切部材３０の延出長さを短くして、排水口２０に挿入されない構成とすることもできる。また、仕切部材３０は、先端側が低くなるように傾斜させてもよい。また、仕切部材３０の幅は、排水口２０の直径よりも僅かに短い長さ、すなわち、排水口２０に挿入可能であり、かつ、排水口２０の流路上部を区画できる幅とであることが好ましい。
【００２６】
排水トラップ本体１２の排水口２０と逆側には、集水口２１が構成されている。集水口２１は、浴槽等の配水管と接続され、浴槽等からの排水が集水口２１から貯水室２２Ａへ流入する。なお、集水口２１は、２個以上形成されていてもよく、また、排水トラップの用途によっては、集水口は必ずしも形成されている必要はない。
【００２７】
封水筒１４は、図１に示すように、円筒状の側壁１４Ａと、鍔部１４Ｂとを備えている。側壁１４Ａの外径は、貯水筒２２の内側に挿入可能な径とされ、貯水室２２Ａへ挿入される。図３に示すように、挿入された封水筒１４の先端部と排水トラップ本体１２の底部１２Ｂとの間は離間されており、排水用隙間Ｓが構成されている。鍔部１４Ｂは、開口１２Ａ部分に配置され、後述する取付フランジ１６に取り付けられる。鍔部１４Ｂと取付フランジ１６との間にはパッキン１６Ｐが配置されている。封水筒１４により、排水室２２Ｂは開口１２Ａとの間を仕切られ、排水用隙間Ｓのみで開口１２Ａと連通されている。
【００２８】
取付フランジ１６は、環状とされ、取付部１６Ａを備えている。取付部１６Ａの下部には、雌ねじ１２Ｎと螺合される取付部１６Ａよりも小径の雄ねじ１６Ｎが形成されている。雄ねじ１６Ｎは、雌ねじ１２Ｎと螺合されることにより排水トラップ本体１２に取り付けられ、取付部１６Ａは排水トラップ本体１２の開口１２Ａの上部に配置される。取付部１６Ａの内壁には、封水筒１４の鍔部１４Ｂと係合される係合部１６Ｂが形成されている。係合部１６Ｂと鍔部１４Ｂとが係合されて、封水筒１４が排水トラップ本体１２に取り付けられる。取付部１６Ａの内壁の係合部１６Ｂよりも上方には、上下一対のリブ１６Ｃが４カ所に構成されている。リブ１６Ｃの間に円盤状の目皿１８が係合され、目皿１８により開口１２Ａが覆われる。目皿１８には、排水用の孔が複数構成されている。
【００２９】
次に、本実施形態の排水トラップ１０へ流入した排水の流出過程について説明する。上記構成の排水トラップ１０では、開口１２Ａから洗い場からの排水が流入し、集水口２１からは浴槽内からの排水が流入する。集水口２１からの排水は、排水トラップ本体１２の小径部１２Ｘの側面から貯水室２２Ａへ流入する。開口１２Ａからの排水は、封水筒１４の内側、及び、貯水室２２Ａへ流入する。
【００３０】
次に、本実施形態の排水トラップ１０の作用について説明する。
集水口２１、開口１２Ａから貯水室２２Ａへ排水が流入すると、貯水筒２２の上端から排水が溢れる。ここで、仕切部材３０側から溢れた排水（以下「下流側排水Ｆ１」という）は、図５、６に示されるように、仕切部材３０の上側の上流出空間３２を通って、排水口２０へ誘導され、排水口２０から雑排水配管Ｐを通って排水される。一方、貯水筒２２の仕切部材３０が設けられていない部分から溢れた排水（以下「周回排水Ｆ２」という）は、排水室２２Ｂへ流出し、図５、６に示されるように、貯水筒２２の外周を経て下流出空間３４に至り、排水口２０を経て雑排水管Ｐを通って排水される。
【００３１】
本実施形態の排水トラップ１０では、排水が排水口２０へ向かう経路が、仕切部材３０によって上下に仕切られており、上流出空間３２へ下流側排水Ｆ１が導かれ、下流出空間３４へ周回排水Ｆ２が導かれる。したがって、周回排水Ｆ２は、下流側排水Ｆ１の流れにぶつかることなく、スムーズに排水口２０へ向かって流れることができる。そして、排水口２０から排出される周回排水Ｆ２は、下流側排水Ｆ１と同方向に流れていることから、雑排水配管Ｐでスムーズに下流側排水Ｆ１と合流し、効率的に排水口２０から雑排水配管Ｐへ流出させることができる。
【００３２】
また、下流側排水Ｆ１は、上流出空間３２を経由して排水口２０や雑排水配管Ｐの上側へ排出されるので、周回排水Ｆ２を流路の下側、下流側排水Ｆ１を流路の上側へ導き、効率的に流路を使って排水することができる。その結果、仕切部材３０がない場合と比較して、排水時間を短縮することができる。
このように、排水時間を短縮することができるので、雑排水管Ｐの設置位置が排水トラップ本体１２に対して高い位置であったとしても、仕切部材３０がない場合のように排水時間が長くなることを抑制できる。したがって、排水口２０を排水トラップ本体１２に対して高い位置に配置することにより、床スラブから雑排水管Ｐまでの距離を確保しつつ、排水時間を短縮し、低床を実現することができる。
【００３３】
［第２実施形態］
次に、本発明の第２実施形態について説明する。第２実施形態の排水トラップ４０は、第１実施形態の排水トラップ１０の構成に加えて、下側仕切部材４２を備えている。下側仕切部材４２は、図７（Ａ）（Ｂ）に示されるように、板状とされ、板面が左右方向に向くように（排水室２２Ｂを周方向に仕切るように）仕切部材３０の下側に配置されている。下側仕切部材４２の一方側の端面は、貯水筒２２の外面に接着され、上下方向（筒軸Ｓ方向）に配置されている。下側仕切部材４２によって、下流出空間３４が、第１下流出空間３４Ａと第２下流出空間３４Ｂとに仕切られている。
なお、下側仕切部材４２は、仕切部材３０と共に貯水筒２２と一体的に構成されていても、別体で構成されて貯水筒２２から取り外し可能な構成にされていてもよい。
【００３４】
次に、本実施形態の排水トラップ４０の作用について説明する。
第１実施形態と同様に、集水口２１、開口１２Ａから貯水室２２Ａへ排水が流入して貯水筒２２の上端から排水が溢れると、仕切部材３０側から溢れた下流側排水Ｆ１は、仕切部材３０の上側の上流出空間３２を通って、排水口２０へ誘導され、排水口２０から雑排水配管Ｐを通って排水される。一方、貯水筒２２の仕切部材３０が設けられていない部分から溢れた周回排水Ｆ２は、排水室２２Ｂへ流出し、図５、６に示されるように、貯水筒２２の外周を経て下流出空間３４に至る。そして、下側仕切部材４２にぶつかり、排水口２０側へ向かい、排水口２０から雑排水管Ｐを通って排水される。
【００３５】
本実施形態の排水トラップ４０では、第１実施形態の排水トラップ１０と同様の効果を奏することができる。さらに、下側仕切部材４２によって、貯水筒２２の外周の一方側を回る周回排水Ｆ２と他方側を回る周回排水Ｆ２とが互いにぶつかり合わず、排水口２０へ向かうので、排水口２０での乱流を抑制して、周回排水Ｆ２をスムーズに流出させることができる。
【００３６】
なお、上記では下側仕切部材４２の形状を板状としたが、他の形状、例えば、図８（Ａ）に示されるように、平面視で略三角形状とされ、斜面が曲面とされた下側仕切部材４２Ａを用いても良いし、図８（Ｂ）に示されるように、三角柱形状とされ、一側面が貯水筒２２に接着された下側仕切部材４２Ｂを用いても良い。
【００３７】
［第３実施形態］
次に、本発明の第３実施形態について説明する。第３実施形態の排水トラップ５０は、第１実施形態の排水トラップ１０の仕切部材３０と一体的に構成された、周方向仕切部材５２を備えている。周方向仕切部材５２は、板状とされ、板面が上下方向に向くように配置されると共に、図９に示されるように、排水室２２Ｂの全周に亘って配置されている。周方向仕切部材５２によって、排水室２２Ｂが上下の上排水室５４と下排出室５６に仕切られている。
【００３８】
周方向仕切部材５２と大径部１２Ｙの内壁との間には、僅かに隙間か構成されている。なお、この隙間は必ずしも必要ではなく、周方向仕切部材５２が大径部１２Ｙの内壁に連結されていてもよい。
【００３９】
周方向仕切部材５２には、複数の流出口５２Ｈが構成されている。流出口５２Ｈを通って、排水の一部が周方向仕切部材５２の下へ流下するようになっている。
【００４０】
次に、本実施形態の排水トラップ５０の作用について説明する。
第１実施形態と同様に、集水口２１、開口１２Ａから貯水室２２Ａへ排水が流入して貯水筒２２の上端から排水が溢れると、仕切部材３０側から溢れた下流側排水Ｆ１は、仕切部材３０の上側の上流出空間３２を通って、排水口２０へ誘導され、排水口２０から雑排水配管Ｐを通って排水される。
【００４１】
一方、貯水筒２２の排水口２０から遠い側の部分から溢れた周回排水Ｆ２は、一旦上排水室５４へ流出し、その一部が流出口５２Ｈを通って下排出室５６へ流入し、残りは周方向仕切部材５２上の上排出室５４で貯水筒２２の外周を経て上流出空間３２へ至る。流出口５２Ｈを通って下排出室５６へ流入した周回排水Ｆ２は、下排出室５６内で貯水筒２２の外周を経て下流出空間３４に至る。そして、排水口２０を経て雑排水配管Ｐを通って排水される。上排出室５４に残った周回排水Ｆ２は、上流出空間３２で下流側排水Ｆ１と合流して、仕切部材３０により排水口２０へ誘導され、排水口２０から雑排水配管Ｐを通って排水される。
【００４２】
本実施形態の排水トラップ５０では、第１実施形態の排水トラップ１０と同様の効果を奏することができる。さらに、周方向仕切部材５２を有しているので、より多くの排水を、上流出空間３２に導いて排出させることができる。
【００４３】
なお、本実施形態では、周方向仕切部材５２を排水室２２Ｂの全周に亘って配置したが、一部にのみ（例えば、図１０に示すように、半周に亘って）配置する構成にすることもできる。
【００４４】
［第４実施形態］
次に、本発明の第４実施形態について説明する。第４実施形態の排水トラップ６０は、第１実施形態の排水トラップ１０の仕切部材３０と一体的に構成された、螺旋板６２を備えている。螺旋板６２は、板状とされ、図１１に示されるように、排水室２２Ｂの全周に亘って螺旋状に配置されている。螺旋板６２によって、排水室２２Ｂの螺旋板６２よりも上側に、螺旋流路６２Ｒが構成されている。螺旋板６２は、一端側で仕切部材３０との接続部分が最も上側に位置し、当該最上部から徐々に低くなるように貯水筒２２の外周を廻って、他端側が下流出室５６の最下部に位置するように、配置されている。螺旋流路６２Ｒに流出した排水は、図１２に示されるように、貯水筒２２の外周を一方向へ（高い側から低い側へ）流れるようになっている。
【００４５】
次に、本実施形態の排水トラップ６０の作用について説明する。
第１実施形態と同様に、集水口２１、開口１２Ａから貯水室２２Ａへ排水が流入して貯水筒２２の上端から排水が溢れると、仕切部材３０側から溢れた下流側排水Ｆ１は、仕切部材３０の上側の上流出空間３２を通って、排水口２０へ誘導され、排水口２０から雑排水配管Ｐを通って排水される。
【００４６】
一方、貯水筒２２の排水口２０から遠い側の部分から溢れた周回排水Ｆ２は、螺旋流路６２Ｒへ流出し、貯水筒２２の外周を一方向に流れて下流出空間３４へ至る。そして、排水口２０を経て雑排水配管Ｐを通って排水される。
【００４７】
本実施形態の排水トラップ６０では、第１実施形態の排水トラップ１０と同様の効果を奏することができる。さらに、螺旋板６２を有しているので、周回排水Ｆ２を一方向に流して排水口２０へ送ることができ、下流出空間３４での周回排水Ｆ２同士のぶつかり合いが抑制され、スムーズに排水を排水口２０へ導くことができる。
【００４８】
以上説明したように、第１〜第４実施形態の排水トラップによれば、排水口２０からの排水の流出を効率的に行なわせて、排水機能を向上させることができる。
【００４９】
なお、上記実施形態では、浴室の排水用に用いる排水トラップについて説明したが、本発明の排水トラップは、浴室用に限定されるものではなく、その他の排水機構にも適用することができる。
【符号の説明】
【００５０】
１０   排水トラップ
１２Ａ 開口
１２   排水トラップ本体
１４   封水筒
２０   排水口
２２Ａ 貯水室
２２Ｃ 排出空間
２２Ｂ 排水室
２２   貯水筒
３０   仕切部材
３２   上流出空間
３４   下流出空間
３４Ａ 第１下流出空間
３４Ｂ 第２下流出空間
４０   排水トラップ
４２   下側仕切部材
４２Ａ 下側仕切部材
４２Ｂ 下側仕切部材
５０   排水トラップ
５２   周方向仕切部材
５４   上排出室
５６   下排出室
６０   排水トラップ
６２   螺旋板
６２Ｒ 螺旋流路
Ｆ１   下流側排水
Ｆ２   周回排水
Ｐ     雑排水配管
【図１】
2012127141.tif 000003
【図２】
2012127141.tif 000004
【図３】
2012127141.tif 000005
【図４】
2012127141.tif 000006
【図５】
2012127141.tif 000007
【図６】
2012127141.tif 000008
【図７】
2012127141.tif 000009
【図８】
2012127141.tif 000010
【図９】
2012127141.tif 000011
【図１０】
2012127141.tif 000012
【図１１】
2012127141.tif 000013
【図１２】
2012127141.tif 000014